(57)【特許請求の範囲】
【請求項１】
スキャナ及びプリンタの機械系を制御する機械系制御部、操作入力を制御するコントロールパネル、ファクシミリインターフェース、プリンタインターフェース、ページメモリ及びこれらのデータ制御を行なうシステムコントローラを有する画像形成装置において、
上記プリンタインターフェース、ファクシミリインターフェース、ページメモリはそれぞれ機能制御用のコントローラとトリガ検出部を有し、前記システムコントローラはトリガ検出部を有し、
各機能制御用のコントローラはそれぞれクロック制御部を有し、このクロック制御部はスリープモードではトリガ検出部にのみクロックを供給し、上記スリープモードからの復帰時には前記トリガ検出部が起動信号を検出することで、予め設定された必要な機能へのクロック供給を開始し、
前記ファクシミリインターフェースのトリガ検出部では、電話回線のＦＡＸ信号が前記起動信号として検出された際、前記ファクシミリインターフェースの全体にクロックが供給され、ＦＡＸデータ受信可能状態になり、
前記ファクシミリインターフェースから前記システムコントローラのトリガ検出部へＦＡＸ受信信号が前記起動信号として出力されることで、前記システムコントローラの全体にクロックが供給され、前記システムコントローラと前記ファクシミリインターフェース間の通信によって前記システムコントローラはＦＡＸ受信を認識し、さらに前記システムコントローラからは、前記ページメモリのトリガ検出部へページメモリ選択信号が前記起動信号として出力され、前記ページメモリの全体にクロックが供給されてＦＡＸデータの受け付けが可能になり、
前記ＦＡＸ信号をトリガ信号として、前記ファクシミリインターフェース、続いて前記システムコントローラ、続いて前記ページメモリがクロック停止状態からクロック供給状態となることを特徴とする画像形成装置。
【請求項２】
前記システムコントローラのトリガ検出部では、前記コントロールパネルのキー入力信号が前記起動信号として検出された際、前記システムコントローラの全体にクロックが供給され、前記システムコントローラとコントロールパネル間の通信によりＦＡＸ送信がリクエストされたことを認識し、前記システムコントローラは、ＦＡＸ送信を認識して原稿読取りのため、電源供給信号を用いて前記機械系制御部、前記スキャナに電源を供給させ、さらに、前記システムコントローラとファクシミリインターフェース間の通信によるＦＡＸ送信の通知と前記ページメモリのトリガ検出部へのページメモリ選択信号が出力され、前記ファクシミリインターフェースと前記ページメモリの全体にクロックが供給されてＦＡＸ送信可能な状態になることを特徴とする請求項１に記載の画像形成装置。
【請求項３】
前記プリンタインターフェースでは、外部のパーソナルコンピュータ（ＰＣ）からのプリンタデータ送信信号が検出された際、前記プリンタインターフェースの全体にクロックが供給され、プリンタデータ受信可能状態になり、さらに、前記プリンタインターフェースから前記システムコントローラのトリガ検出部へプリンタデータ受信信号（割り込み信号）が出力され、前記システムコントローラの全体にクロックが供給されると前記システムコントローラと前記プリンタインターフェース間の通信によって前記システムコントローラはプリンタデータ受信を認識し、プリント出力のため、電源供給信号を用いて前記機械系制御部、前記プリンタに電源を供給し、続いて、前記システムコントローラからは、前記ページメモリのトリガ検出部へ前記起動信号となるページメモリ選択信号が出力され、前記ページメモリの全体にクロックが供給されてプリンタデータの受信が可能になることを特徴とする請求項１に記載の画像形成装置。
【発明の詳細な説明】
【０００１】
【発明の属する技術分野】
この発明は、スキャナ機能、プリンタ機能、ファクシミリ送受信機能、画像編集等の画像処理機能とを有するデジタル複写機等の画像形成装置に関する。
【０００２】
【従来の技術】
従来、スキャナ機能、プリンタ機能、ファクシミリ送受信機能、画像処理機能等の複合機能を有するデジタル複写機が開発されている。
このようなデジタル複写機において、汎用バスに接続されているすべてのデバイス（チップまたはボード）には、動作中／アイドル中に関わらず常にクロックが供給され、アイドル中も無駄な電力を消費している。
【０００３】
従来では、このようなデバイスの消費電力を低減するために主に以下の２つの方法がとられている。
１．デバイスの汎用バスとのインタフェースにおいて、電源供給を制限してアイドル時には電源断にし、復帰のトリガ信号を検出するとデバイスにリセットがかかるように制御する方法。
２．デバイス内のあるレジスタビットをセットするデバイス内部クロックの周波数を下げるかまたは停止させる方法。
【０００４】
しかしながら、１の場合は、デバイスが汎用バスの拡張ボードでさらに別にＣＰＵで制御されることが要求され、復帰のトリガが検出されるとブート処理を行わなければならず復帰に時間を要する。
【０００５】
また、２の場合は、クロック周波数を下げるときも停止させるときも、レジスタビットをデバイス外部からソフト的またはハード的な処理でセットする必要がある。
【０００６】
【発明が解決しようとする課題】
上記したように、デジタル複写機において、汎用バスに接続されているすべての機能（デバイス：チップまたはボード）には、動作中／アイドル中に関わらず常にクロックが供給され、アイドル中も無駄な電力を消費している。このようなデバイスの消費電力を低減するため、スリープモードを設定して電源供給を制限してアイドル時には電源断にし、復帰のトリガ信号を検出するとデバイスにリセットがかかるように制御する方法や、デバイス内のあるレジスタビットをセットするデバイス内部クロックの周波数を下げるかまたは停止させる方法等があるが、デバイスが汎用バスの拡張ボードでさらに別にＣＰＵで制御されることが要求され、復帰のトリガが検出されるとブート処理を行わなければならず復帰に時間を要し、また、クロック周波数を下げるときも停止させるときも、レジスタビットをデバイス外部からソフト的またはハード的な処理でセットする必要があるという問題があった。
【０００７】
そこで、この発明は、汎用バスに接続された複合機能を備え、各機能が有する機能制御用コントローラがクロック制御部を持ってある条件を満たすと自動的にクロック停止信号がアサートしてクロックを停止するスリープモードを有し、スリープモードから動作を開始する際、必要な機能のみを復帰させて消費電力の低減を図ることのできる画像形成装置を提供することを目的とする。
【０００８】
【課題を解決するための手段】
この発明の一実施形態は、スキャナ及びプリンタの機械系を制御する機械系制御部、操作入力を制御するコントロールパネル、ファクシミリインターフェース、プリンタインターフェース、ページメモリ及びこれらのデータ制御を行なうシステムコントローラを有する画像形成装置において、
上記プリンタインターフェース、ファクシミリインターフェース、ページメモリはそれぞれ機能制御用のコントローラとトリガ検出部を有し、各機能制御用のコントローラはそれぞれクロック制御部を有し、このクロック制御部はスリープモードではトリガ検出部にのみクロックを供給し、上記スリープモードからの復帰時には前記トリガ検出部が起動信号を検出することで、予め設定された必要な機能へのクロック供給を開始し、前記ファクシミリインターフェースのトリガ検出部では、電話回線のＦＡＸ信号を前記起動信号として検出された際、前記ファクシミリインターフェースの全体にクロックが供給され、ＦＡＸデータ受信可能状態になり、前記ファクシミリインターフェースから前記システムコントローラのトリガ検出部へＦＡＸ受信信号が前記起動信号として出力されることで、前記システムコントローラの全体にクロックが供給され、前記システムコントローラと前記ファクシミリインターフェース間の通信によって前記システムコントローラはＦＡＸ受信を認識し、さらに前記システムコントローラからは、前記ページメモリのトリガ検出部へページメモリ選択信号が前記起動信号として出力され、前記ページメモリの全体にクロックが供給されてＦＡＸデータの受け付けが可能になり、前記ＦＡＸ信号をトリガ信号として、ファクシミリインターフェース、続いてシステムコントローラ、続いてページメモリがクロック停止状態からクロック供給状態となることを特徴とする。
【００１７】
【発明の実施の形態】
以下、この発明の一実施の形態について図面を参照して説明する。
図１は、この発明に係る画像形成装置として、スキャナ機能、プリンタ機能、ファクシミリ送受信機能、画像処理機能等の複合機能を有する複合機としてのデジタル複写機１の全体構成を概略的に示すものである。このデジタル複写機１はスキャナ２及びプリンタ３を備え、上部に自動原稿送り装置（ＡＤＦ）４を装着している。
【００１８】
自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。カバー本体２１の上面やや右方向部位には、複数枚の原稿を一括保持し得る原稿給紙台２２が設けられている。装置の一端側には、原稿を順次一枚ずつ取出し原稿台５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。原稿台５の上面には、これを覆う原稿搬送ベルト３７が張設されている。原稿搬送ベルト３７は、一対のベルトローラ４０、４０に掛渡された外表面が白色の幅広無端ベルトからなり、ベルト駆動機構（図示しない）によって正逆両方向に走行し得る構成となっている。また、原稿搬送ベルト３７の内周部の裏面側には、ベルト面を原稿台５上に押さえ付けるための複数のベルト押えローラ４１…および自動原稿送り装置の開閉状態を検知するセットスイッチ（図示せず）が設けられている。そして、前記給送手段２３によって給送された原稿を、原稿台５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。また、原稿排出路には、原稿を表裏逆にして原稿台５に導くためにゲート４９が設けられ、原稿を両面複写可能としている。
【００１９】
読取手段としてのスキャナ２は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、およびＣＣＤセンサ１１の出力つまり画像データ（情報）をアナログデータからデジタルデータに変換するＡ／Ｄ変換部（図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これにより、レンズ１０までの光路長が一定になるように走査できるようになっている。上記レンズ１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ７、９、ミラー１２ａ、１２ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００２０】
６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００２１】
画像形成手段としてのプリンタ３は、たとえばレーザ光学系と転写紙に画像形成が可能な電子写真方式を組み合せている。すなわち、プリンタ３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、クリーニング前除電チャージャ５７、クリーナ５８、除電ランプ５９、及び帯電チャージャ６１が順に配置されている。感光体ドラム５０は、帯電チャージャ６１によって一様に帯電されるようになっているとともに、スキャナ２からレーザ光を出力して前記感光体ドラム５０上に原稿の画像を結像し、静電潜像が形成されるようになっている。
【００２２】
そして、前記感光体ドラム５０上に形成された静電潜像は、現像装置５４により現像され、後述する給紙手段としての給紙カセット３０から給紙ローラ２０、アライニングローラ２５を介して送紙されるコピ−用紙（被画像形成媒体）Ｐ上に現像画像を転写チャージャ５５により転写される。この転写チャージャ５５による転写後のコピ−用紙Ｐは、剥離チャージャ５６のＡＣコロナ放電により剥離されて、搬送ベルトを介して定着器７１に搬送され、この定着器７１によって現像画像が溶融定着されたコピ−用紙Ｐは、排紙ロ−ラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００２３】
一方、前記コピ−用紙Ｐへの現像画像の転写・剥離後の感光体ドラム５０上に残留した現像剤は、クリーニング前除電チャージャ５７で予め除電された後、クリーナ５８により清掃され、除電ランプ５９により感光体ドラム５０上の電位が一定のレベル以下にされ、次のコピ−動作を可能にしている。
【００２４】
なお、コピ−用紙Ｐの両面に印刷する両面コピ−の場合には、前述した定着器７１によって現像画像が溶融定着されたコピ−用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャ−ジャ５５に搬送され、印刷されていない他方の面に現像画像が転写される。また、トレイ７５ｂの下部には、光反射型の紙センサ７５ｄが設けられ、トレイ７５ｂ上にスタックされる用紙の有無が検知される。
【００２５】
また、搬送路７５ａ、トレイ７５ｂ、搬送路７５ｃ、及び紙センサ７５ｄとから自動両面反転機構としての自動両面装置（ＡＤＤ）７５が構成されている。
また、図中３０は前記装置本体１のフロント側より着脱自在に上下複数段に装着された給紙手段としての給紙カセットである。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ３に向け搬送されるようになっているものである。
【００２６】
また、装置本体の右サイド側には、着脱自在に装着された給紙カセット４３と大容量給紙装置（ＬＣＦ）４７とが設けられている。給紙カセット４３に収納されたコピー用紙Ｐは、ピックアップローラ４３ａにて最上層からピックアップされて取り出されるようになっている。このピックアップローラ４３ａにて取り出されて給紙カセット４３の取出し端部側に送り込まれたコピー用紙Ｐは、給紙カセット４３の取出し端部の内側上方に設置された給紙ローラ４３ｂと分離ローラ４３ｃとからなる用紙分離部にて一枚ずつ分離されて、プリンタ３に向け搬送されるようになっている。ＬＣＦ４７に収納されたコピー用紙Ｐは、ピックアップローラ４７ａにて最上層からピックアップされて取り出されるようになっている。このピックアップローラ４７ａにて取り出されてＬＣＦ４７の取出し端部側に送り込まれたコピー用紙Ｐは、ＬＣＦ４７の取出し端部の内側上方に設置された給紙ローラ４７ｂと分離ローラ４７ｃとからなる用紙分離部にて一枚ずつ分離されて、プリンタ３に向け搬送されるようになっている。
【００２７】
図２は、デジタル複写機１のシステム構成を示すもので、システムコントローラ１００を中心にその機能が制御されており、ファクシミリインタフェース（以下，ＦＡＸＩ／Ｆと記述する）１０１、プリンタインタフェース（以下、プリンタＩ／Ｆと記述する）１０２、およびページメモリ１０３とＰＣＩバス等の汎用バス１０４を介してアクセスが行われる。
【００２８】
また、詳しくは後述するが、ＦＡＸＩ／Ｆ１０１は機能制御用コントローラ（制御手段）１０１ａとトリガ検出部（検出手段）１０１ｂ、プリンタＩ／Ｆ１０２は機能制御用コントローラ（制御手段）１０２ａとトリガ検出部（検出手段）１０２ｂ、ページメモリ１０３は機能制御用コントローラ（制御手段）１０３ａとトリガ検出部（検出手段）１０３ｂを有している。さらに、機能制御用コントローラ１０１ａはクロック制御部１０１ｃ、機能制御用コントローラ１０２ａはクロック制御部１０２ｃ、機能制御用コントローラ１０３ａはクロック制御部１０３ｃを有している。
【００２９】
また、システムコントローラ１００には、スキャナ２、プリンタ３等のデジタル複写機１本体のメカ系を制御するメカコン１０５、各種の操作入力を制御するコントロールパネル（コンパネ）１０６、及びメカコン１０５を介してスキャナ２とプリンタ３とが接続されている。
【００３０】
システムコントローラ１００は、ＦＡＸＩ／Ｆ１０１、プリンタＩ／Ｆ１０２、ページメモリ１０３のデータ制御と、コンパネ１０６、メカコン１０５と通信し、後述するスリープモードの設定とクロックの供給を行う。
【００３１】
ページメモリ１０３は、画像データバッファ、画像編集等も行う。
汎用バス１０４に接続された各機能には、動作中／アイドル中に関わらず常にクロックが汎用バス１０４から供給されている。このため、これらの機能では、アイドル中にも無駄な電力消費が発生することになる。
【００３２】
そこで本発明においては、各機能の供給されるクロックを停止させて消費電力の低減を図るために、各機能が有する機能制御用コントローラが、図３に示すようなクロック（ＣＬＫ）制御部を持ち、ある条件を満たすと自動的にクロック停止信号をアサートしてクロックを停止させる。ただし、クロック制御部では、クロックツリーごとに制御が可能であり、図３に示すようにクロック１は常に供給され、クロック２、クロック３は停止信号がアサートされると停止するような制御をする。
【００３３】
以下、本実施例においては、クロック停止状態をスリープモードとする。スリープモードで削減することのできる消費電力は、例えば、ページメモリ１０３でＤＲＡＭ４個分のリフレッシュサイクルの電力が節約できるとすると、１時間あたり約２００Ｗになる。
【００３４】
図４は、ＦＡＸＩ／Ｆ１０１における機能制御用コントローラ１０１ａの構成例を示すものである。ファクシミリ（ＦＡＸ）信号を検出するトリガ検出部１０１ｂに接続された機能制御用コントローラ１０１ａは、クロック（ＣＬＫ）制御部１０１ｃを有し、このクロック制御部１０１ｃからスリープモードで停止するクロック（ＣＬＫ）が出力される。
【００３５】
デジタル複写機１の内部では、各機能ごとに機能制御用コントローラ（１０１ａ、１０２ａ、１０３ａ）を有しており、クロック制御は図４で示したＦＡＸＩ／Ｆ１０１の機能制御用コントローラ１０１ａのように機能ごとに行うことができる。
【００３６】
このようにスリープモードからの復帰時もそれぞれに条件を設定することが可能で、各機能とも機能外から入力される信号をトリガとして検出することを復帰条件とする。トリガは、各機能ごとに個別に設定できる。
【００３７】
図５は、トリガとなる信号例を示すものである。ＦＡＸＩ／Ｆ１０１は、トリガ信号としてＦＡＸ信号、ＦＡＸ送信信号があり、信号発生元として電話回線、システムコントローラ１００がある。プリンタＩ／Ｆ１０２は、トリガ信号としてプリンタ信号があり、信号発生元が図示しない外部パーソナルコンピュータ（ＰＣ）がある。ページメモリ１０３は、トリガ信号としてページメモリ選択信号があり、信号発生元としてシステムコントローラ１００がある。システムコントローラ１００は、トリガ信号としてＦＡＸ受信信号、プリンタデータ受信信号、キー入力信号があり、信号発生元としてＦＡＸＩ／Ｆ１０１、プリンタＩ／Ｆ１０２、コンパネ１０６がある。
【００３８】
例えば、図４に示すＦＡＸＩ／Ｆ１０１において、スリープモード時にトリガ検出部１０１ｂにクロックが供給されていて、クロック制御部１０１ｃから出力されるクロックは停止されている。このようなスリープモード時に、トリガ検出部１０１ｂにトリガ信号としてのＦＡＸ信号が入力されるとトリガ検出部１０１ｂから起動信号がクロック制御部１０１ｃに出力され、クロック制御部１０１ｃからクロックが供給されてＦＡＸＩ／Ｆ１０１の動作が可能になる。
【００３９】
このように復帰用のトリガ検出部に対して、スリープモード時でも常にクロックを供給する。さらに、ある機能のトリガが検出された場合、その動作に関連した他の機能にトリガ信号を出力して動作可能になるが、復帰させる機能を選択できるため必要最低限の構成にすることが可能で、複合機の機能面から見ても消費電力を少なく押さえられる。
【００４０】
図６〜図８は、各機能に必要な構成を示すものである。本実施例のデジタル複写機１では、このクロック制御を汎用バス１０４に接続された機能に限定せずシステムコントローラ１００にも適応する。メカコン１０５、プリンタ３、およびスキャナ２は、スリープモードではシステムコントローラ１００の電源供給信号によって電源の供給・停止が制御され、復帰する。
【００４１】
図６はＦＡＸ受信の場合を示し、複合機としてのデジタル複写機１のスリープモードでは各機能のトリガ検出部にのみクロックが供給される。
図７はＦＡＸ送信の場合を示し、複合機としてのデジタル複写機１のスリープモードでは各機能のトリガ検出部にのみクロックが供給される。
【００４２】
図８はプリンタ時の場合を示し、複合機としてのデジタル複写機１のスリープモードでは各機能のトリガ検出部にのみクロックが供給される。
図９は、デジタル複写機１におけるＦＡＸ受信時の復帰動作を示すものである。
【００４３】
図１０は、デジタル複写機１におけるＦＡＸ送信時の復帰動作を示すものである。
図１１は、デジタル複写機１におけるプリント時の復帰動作を示すものである。
【００４４】
次に、このような構成において、デジタル複写機１におけるＦＡＸ受信時の復帰動作を図６、図９、および図１２のフローチャートを参照して説明する。
ＦＡＸＩ／Ｆ１０１のトリガ検出部１０１ｂでは、電話回線のＦＡＸ信号が検出された際（ＳＴ１）、ＦＡＸＩ／Ｆ１０１の全体にクロックが供給され、ＦＡＸデータ受信可能状態になる（ＳＴ２）。さらに、ＦＡＸＩ／Ｆ１０１からシステムコントローラ１００のトリガ検出部１００ｂへＦＡＸ受信信号（割り込み信号）が出力され（ＳＴ３）、システムコントローラ１００の全体にクロックが供給されるとシステムコントローラ１００−ＦＡＸＩ／Ｆ１０１間の通信によってシステムコントローラ１００はＦＡＸ受信を認識する（ＳＴ４）。
【００４５】
続いて、システムコントローラ１００からは、ページメモリ１０３のトリガ検出部１０３ｂへページメモリ選択信号が出力され（ＳＴ５）、ページメモリ１０３の全体にクロックが供給されてＦＡＸデータの受け付けが可能になる（ＳＴ６）。
【００４６】
上述したように、ＦＡＸ信号をトリガ信号として、ＦＡＸＩ／Ｆ１０１、続いてシステムコントローラ１００、続いてページメモリ１０３がクロック停止状態からクロック供給状態となる。必要に応じて印刷時は、システムコントローラ１００からメカコン１０５、プリンタ３に電源が供給されて印刷が可能になる（ＳＴ７）。なお、スキャナ２、プリンタ３、メカコン１０５、コンパネ１０６、およびプリンタＩ／Ｆ１０２は、クロック停止状態のままである。
【００４７】
次に、デジタル複写機１におけるＦＡＸ送信時の復帰動作を図７、図１０、および図１３のフローチャートを参照して説明する。
システムコントローラ１００のトリガ検出部１０１ｂでは、コンパネ１０６のキー入力信号が検出された際（ＳＴ１１）、システムコントローラ１００の全体にクロックが供給され、システムコントローラ１００−コンパネ１０６間の通信によりＦＡＸ送信がリクエストされたことを認識する（ＳＴ１２）。システムコントローラ１００は、ＦＡＸ送信を認識して原稿読取りのため、電源供給信号を用いてメカコン１０５、スキャナ２に電源を供給して復帰させる（ＳＴ１３）。
【００４８】
さらに、システムコントローラ１００−ＦＡＸＩ／Ｆ１０１間の通信によるＦＡＸ送信の通知とページメモリ１０３のトリガ検出部１０３ｂへのページメモリ選択信号が出力され（ＳＴ１４）、ＦＡＸＩ／Ｆ１０１とページメモリ１０３の全体にクロックが供給されてＦＡＸ送信可能な状態になる（ＳＴ１５）。
【００４９】
上述したように、キー入力信号によりＦＡＸ送信信号をトリガ信号として、システムコントローラ１００、続いてＦＡＸＩ／Ｆ１０１、ページメモリ１０３がクロック停止状態からクロック供給状態となる。この際、スキャナ２、メカコン１０５、コンパネ１０６もクロック供給状態となる。なお、プリンタ３およびプリンタＩ／Ｆ１０２は、クロック停止状態のままである。
【００５０】
次に、このような構成において、デジタル複写機１におけるプリント時の復帰動作を図８、図１１、および図１４のフローチャートを参照して説明する。
プリンタＩ／Ｆ１０２では、図示しない外部のパーソナルコンピュータ（ＰＣ）からのプリンタデータ送信信号が検出された際（ＳＴ２１）、プリンタＩ／Ｆ１０２の全体にクロックが供給され、プリンタデータ受信可能状態になる（ＳＴ２２）。
【００５１】
さらに、プリンタＩ／Ｆ１０２からシステムコントローラ１００のトリガ検出部１００ｂへプリンタデータ受信信号（割り込み信号）が出力され（ＳＴ２３）、システムコントローラ１００の全体にクロックが供給されるとシステムコントローラ１００−プリンタＩ／Ｆ１０２間の通信によってシステムコントローラ１００はプリンタデータ受信を認識する（ＳＴ２４）。また、システムコントローラ１００は、プリンタデータ受信を認識してプリント出力のため、電源供給信号を用いてメカコン１０５、プリンタ３に電源を供給する（ＳＴ２５）。
【００５２】
続いて、システムコントローラ１００からは、ページメモリ１０３のトリガ検出部１０３ｂへページメモリ選択信号が出力され（ＳＴ２６）、ページメモリ１０３の全体にクロックが供給されてプリンタデータの受信が可能になる（ＳＴ２７）。
【００５３】
次に、ページメモリ１０３について説明する。
ページメモリ１０３は、ＦＡＸ受信時、ＦＡＸ送信時、プリンタデータ受信時や複写時にシステムコントローラ１００からのページメモリ選択信号がトリガ信号として検出した際、ページメモリ１００の全体にクロックが供給されてデータ受け付け可能になる。
【００５４】
以上説明したように上記発明の実施の形態によれば、複合機のスリープモードでの汎用バスに接続された各機能の復帰において、各機能のコントローラによる同一機能内でも細かな制御が可能なため、復帰のためのトリガ検出部のみ常にクロックを供給し、その他の部分はクロックを止めておくことができる。このことでスリープモードでの消費電力がいっそう低減できる。
【００５５】
また、各機能は複雑に絡みあっているため、ある機能を動作させるためにも関連した機能もともに復帰させる必要があり、復帰した機能から次に必要な機能へと順に復帰トリガを出力して動作可能な状態にすることができる。
【００５６】
さらに、各機能の復帰トリガは機能ごとに個別にあるため、ある機能動作を実行する際は、関連した機能のみを復帰させることができ最小限の構成で動作する。これによって、スリープモードから復帰したときも消費電力をなるべく少なくすることができる。
【００５７】
【発明の効果】
以上詳述したようにこの発明によれば、汎用バスに接続された複合機能を備え、各機能が有する機能制御用コントローラがクロック制御部を持ってある条件を満たすと自動的にクロック停止信号がアサートしてクロックを停止するスリープモードを有し、スリープモードから動作を開始する際、必要な機能のみを復帰させて消費電力の低減を図ることのできる画像形成装置を提供することができる。
【図面の簡単な説明】
【図１】この発明の画像形成装置に係るデジタル複写機の断面図。
【図２】デジタル複写機のシステム構成を示すブロック図。
【図３】機能制御用コントローラの構成を示す図。
【図４】ＦＡＸＩ／Ｆの機能制御用コントローラの構成を示す図。
【図５】トリガとなる信号例を示す図。
【図６】機能に必要な構成を示す図。
【図７】機能に必要な構成を示す図。
【図８】機能に必要な構成を示す図。
【図９】デジタル複写機におけるＦＡＸ受信時の復帰動作を示す図。
【図１０】デジタル複写機におけるＦＡＸ送信時の復帰動作を示す図。
【図１１】デジタル複写機におけるプリント時の復帰動作を示す図。
【図１２】デジタル複写機におけるＦＡＸ受信時の復帰動作を説明するためのフローチャート。
【図１３】デジタル複写機におけるＦＡＸ送信時の復帰動作を説明するためのフローチャート。
【図１４】デジタル複写機におけるプリント時の復帰動作を説明するためのフローチャート。
【符号の説明】
１…デジタル複写機
２…スキャナ
３…プリンタ
１００…システムコントローラ（停止手段、制御手段、供給手段）
１０１…ファクシミリインタフェース（受信手段）
１０２…プリンタインタフェース（受信手段）
１０３…ページメモリ（記憶手段）
１０４…汎用バス
１０５…メカコン
１０６…コンパネ
【図１】
0004231116.tif 000002
【図２】
0004231116.tif 000003
【図３】
0004231116.tif 000004
【図４】
0004231116.tif 000005
【図５】
0004231116.tif 000006
【図６】
0004231116.tif 000007
【図７】
0004231116.tif 000008
【図８】
0004231116.tif 000009
【図９】
0004231116.tif 000010
【図１０】
0004231116.tif 000011
【図１１】
0004231116.tif 000012
【図１２】
0004231116.tif 000013
【図１３】
0004231116.tif 000014
【図１４】
0004231116.tif 000015